(57)【要約】【課題】パネルの外部から入射される外光を遮断させるための外光遮断シートを製作してパネルの前面に付着することによって、パネルの明室コントラストを向上させるプラズマディスプレイ装置を提供する。【解決手段】プラズマディスプレイ装置は、プラズマディスプレイパネルと、前記プラズマディスプレイパネルの前面に形成されるフィルタとを備え、前記フィルタは、ベース部と、前記ベース部に形成される複数のパターン部を備える外光遮断シートとを備え、前記外光遮断シートの厚さは、前記パターン部高さの１．０１倍〜２．２５倍である。【選択図】図８
2008026860.tif 000002
【特許請求の範囲】
【請求項１】
プラズマディスプレイパネルと、前記プラズマディスプレイパネルの前面に形成されるフィルタとを備え、前記フィルタは、ベース部と、前記ベース部に形成される複数のパターン部を備える外光遮断シートとを備え、
前記外光遮断シートの厚さは、前記パターン部の高さの１．０１倍〜２．２５倍であることを特徴とするプラズマディスプレイ装置。
【請求項２】
前記外光遮断シートの厚さは、前記ターン部の高さの１．０１倍〜１．５倍であることを特徴とする請求項１に記載のプラズマディスプレイ装置。
【請求項３】
前記パターン部の屈折率は、前記ベース部の屈折率より小さいことを特徴とする請求項１に記載のプラズマディスプレイ装置。
【請求項４】
前記パターン部の屈折率は、前記ベース部の屈折率の０．３００倍〜０．９９９倍であることを特徴とする請求項１に記載のプラズマディスプレイ装置。
【請求項５】
前記パターン部の下段幅は、前記パターン部の中間高さでの幅に比べて１倍〜３．５倍であることを特徴とする請求項１に記載のプラズマディスプレイ装置。
【請求項６】
前記パターン部の下段幅は、前記パターン部の中間高さでの幅に比べて１．５倍〜２．５倍であることを特徴とする請求項１に記載のプラズマディスプレイ装置。
【請求項７】
互いに隣接した前記パターン部間の最短距離は、前記パターン部の下段幅の１．１倍〜５倍であることを特徴とする請求項１に記載のプラズマディスプレイ装置。
【請求項８】
互いに隣接した前記パターン部間の最短距離は、前記パターン部の下段幅の１．５倍〜３．５倍であることを特徴とする請求項１に記載のプラズマディスプレイ装置。
【請求項９】
前記パターン部の高さは、互いに隣接した前記パターン部間の最短距離の０．８９倍〜４．２５倍であることを特徴とする請求項１に記載のプラズマディスプレイ装置。
【請求項１０】
前記パターン部の高さは、互いに隣接した前記パターン部間の最短距離の１．５倍〜３倍であることを特徴とする請求項１に記載のプラズマディスプレイ装置。
【請求項１１】
互いに隣接した前記パターン部の上段間の間隔は、最短距離の１倍〜３．２５倍であることを特徴とする請求項１に記載のプラズマディスプレイ装置。
【請求項１２】
互いに隣接した前記パターン部の上段間の間隔は、最短距離の１．２倍〜２．５倍であることを特徴とする請求項１に記載のプラズマディスプレイ装置。
【請求項１３】
前記フィルタは、
外部光の反射を防止する反射防止層、前記パネルから放射される近赤外線を遮蔽する近赤外線遮蔽層および電磁波を遮蔽する電磁波遮蔽層のうちの少なくとも１つを備えることを特徴とする請求項１に記載のプラズマディスプレイ装置。
【請求項１４】
ベース部と、前記ベース部に形成され、前記ベース部より小さな屈折率を有するパターン部が備えられる外光遮断シートとを備え、
前記外光遮断シートの厚さは、前記パターン部高さの１．０１倍〜２．２５倍であることを特徴とするフィルタ。
【請求項１５】
前記外光遮断シートの厚さは、前記パターン部の高さの１．０１倍〜１．５倍であることを特徴とする請求項１４に記載のフィルタ。
【請求項１６】
前記パターン部の下段幅は、前記パターン部の中間高さでの幅に比べて１倍〜３．５倍であることを特徴とする請求項１４に記載のフィルタ。
【請求項１７】
互いに隣接した前記パターン部間の最短距離は、前記パターン部の下段幅の１．１倍〜５倍であることを特徴とする請求項１４に記載のフィルタ。
【請求項１８】
前記パターン部高さは、互いに隣接した前記パターン部間の最短距離の０．８９倍〜４．２５倍であることを特徴とする請求項１４に記載のフィルタ。
【請求項１９】
互いに隣接した前記パターン部の上段間の間隔は、最短距離の１倍〜３．２５倍であることを特徴とする請求項１４に記載のフィルタ。
【請求項２０】
外部光の反射を防止する反射防止層、前記パネルから放射される近赤外線を遮蔽する近赤外線遮蔽層および電磁波を遮蔽する電磁波遮蔽層のうちの少なくとも１つを含むことを特徴とする請求項１４に記載のフィルタ。
【発明の詳細な説明】
【技術分野】
【０００１】
本発明は、プラズマディスプレイ装置に関し、特にパネルの外部から入射される外光を遮断させるための外光遮断シートを製作してパネルの前面に付着することによって、パネルの明室コントラストを向上させるプラズマディスプレイ装置に関する。
【背景技術】
【０００２】
一般に、プラズマディスプレイパネル（Ｐｌａｓｍａ  Ｄｉｓｐｌａｙ  Ｐａｎｅｌ）は、放電空間に設けられた電極に所定の電圧を印加して放電を起こし、ガス放電時に発生するプラズマが蛍光体を励起させることによって、文字又はグラフィックを含む画像を表示する装置であって、大型化及び軽量化と平面薄型化が容易であり、上下左右に広い視野角を提供し、フルカラー及び高輝度を実現することが可能であるという長所がある。
【発明の開示】
【発明が解決しようとする課題】
【０００３】
しかしながら、このようなＰＤＰにより、ブラック（Ｂｌａｃｋ）映像が実現されるとき、パネルの下板に露出されている白色系の蛍光体により、外部光がＰＤＰのパネル前面から反射されることで、ＰＤＰの明室コントラストが低下するという問題がある。
【０００４】
本発明は、上記の問題点に鑑みてなされたもので、その目的は、パネルの外部から入射される外光を遮断させるための外光遮断シートを製作してパネルの前面に付着することによって、パネルの明室コントラストを向上させるプラズマディスプレイ装置を提供することにある。
【課題を解決するための手段】
【０００５】
上記の目的を達成すべく、本発明に係るプラズマディスプレイ装置は、プラズマディスプレイパネルと、前記プラズマディスプレイパネルの前面に形成されるフィルタとを備え、前記フィルタは、ベース部と、前記ベース部に形成され、前記ベース部より小さな屈折率を有するパターン部が備えられる外光遮断シートとを備え、前記外光遮断シートの厚さは、前記パターン部の高さの１．０１倍〜２．２５倍又は前記外光遮断シートの厚さは、前記ターン部高さの１．０１倍〜１．５倍であることを特徴とする。
【０００６】
ここで、前記パターン部の屈折率が、前記ベース部の屈折率の０．３００倍〜０．９９９倍であることが好ましく、前記パターン部の下段幅は、前記パターン部の中間高さｈ／２の１倍〜３．５倍であり、互いに隣接した前記パターン部間の最短距離は、前記パターン部の下段幅の１．１倍〜５倍であることが好ましく、前記パターン部高さは、互いに隣接した前記パターン部間の最短距離の０．８９倍〜４．２５倍であり、互いに隣接した前記パターン部の上段間の間隔は、最短距離の１．５倍〜３．５倍であるが好ましい。
【０００７】
また、前記フィルタは、外部光の反射を防止する反射防止層と、前記パネルから放射される近赤外線を遮蔽する近赤外線遮蔽層と、電磁波を遮蔽する電磁波遮蔽層のうちの少なくとも１つを備えるようにしてもよい。
【０００８】
上記の目的を達成すべく、本発明に係るフィルタは、ベース部と、前記ベース部上に形成され、前記ベース部より小さな屈折率を有するパターン部が備えられる外光遮断シートとを備え、前記外光遮断シートの厚さは、前記パターン部高さの１．０１倍〜２．２５倍であることを特徴とする。
【発明の効果】
【０００９】
本発明によれば、外部から入射される光を最大限吸収及び遮断する外光遮断シートが、パネルの前面に付着されることによって、ブラック（ｂｌａｃｋ）映像を原色に近く実現することができ、これにより、明室コントラストが改善される効果がある。
【００１０】
また、外光遮断シートの厚さとパターン部の高さが所定の割合で形成されて、外光遮断シートの開口率を適切に確保されるようにすることによって、パネル内部に放出される光が最大限ユーザ側に透過されるようにできる効果がある。
【発明を実施するための最良の形態】
【００１１】
以下、添付された図面を参照して、本発明に係るプラズマディスプレイ装置について詳細に説明する。
【００１２】
但し、本発明に係るプラズマディスプレイ装置は、本明細書に記載された実施の形態に限定されず、複数の実施の形態が存在し得ることを明らかにする。
【００１３】
以下、添付された図面を使用して本発明の実施の形態を説明する。
【００１４】
図１は、プラズマディスプレイパネルに関する一実施の形態を示す斜視図である。
【００１５】
図１に示すように、プラズマディスプレイパネルは、上部基板１０上に形成される維持電極対であるスキャン電極１１及びサステイン電極１２と、下部基板２０上に形成されるアドレス電極２２とを備える。
【００１６】
維持電極対１１、１２それぞれは、通常、インジウムスズ酸化物（Ｉｎｄｉｕｍ−Ｔｉｎ−Ｏｘｉｄｅ；ＩＴＯ）で形成された透明電極１１ａ、１２ａと、銀（Ａｇ）、クロム（Ｃｒ）などの金属又はクロム／銅／クロム（Ｃｒ／Ｃｕ／Ｃｒ）の積層型又はクロム／アルミニウム／クロム（Ｃｒ／Ａｌ／Ｃｒ）の積層型で形成されることができるバス電極１１ｂ、１２ｂとを備えて構成される。このとき、バス電極１１ｂ、１２ｂは、透明電極１１ａ、１２ａ上に形成され、抵抗の高い透明電極１１ａ、１２ａによる電圧降下を低減する機能を果たす。
【００１７】
一方、本発明の一実施の形態によれば、維持電極対１１、１２は、透明電極１１ａ、１２ａとバス電極１１ｂ、１２ｂが積層された構造だけでなく、透明電極１１ａ、１２ａを用いることなく、バス電極１１ｂ、１２ｂのみで構成してもよい。このような構造は、透明電極１１ａ、１２ａを使用しないため、パネル製造の単価を下げることができるという長所がある。このような構造に使用されるバス電極１１ｂ、１２ｂは、上記の例に挙げた材料の他に感光性材料など、多様な材料で構成することが可能であるはずである。
【００１８】
スキャン電極１１及びサステイン電極１２の透明電極１１ａ、１２ａとバス電極１１ｂ、１２ｂの間には、上部基板１０の外部から発生する外部光を吸収して反射を減らす光遮断の機能及び上部基板１０のピュアリティー（ｐｕｒｉｔｙ）とコントラストを向上させる機能を果たすブラックマトリックス（Ｂｌａｃｋ  Ｍａｔｒｉｘ、ＢＭ）が形成される。
【００１９】
本発明の一実施の形態に係るブラックマトリックス１５は、上部基板１０に形成されるが、隔壁２１と重なる位置に形成される第１ブラックマトリックス１５と、透明電極１１ａ、１２ａとバス電極１１ｂ、１２ｂとの間に形成される第２ブラックマトリックス１１ｃ、１２ｃとで構成することもできる。ここで、第１ブラックマトリックス１５と、ブラック層又はブラック電極層とも呼ばれる第２ブラックマトリックス１１ｃ、１２ｃは、形成過程で同時に形成されて物理的に接続することができるが、同時に形成されなくて物理的に接続されないこともある。
【００２０】
また、物理的に接続されて形成される場合、第１ブラックマトリックス１５と第２ブラックマトリックス１１ｃ、１２ｃは、同じ材質で形成されるが、物理的に分離されて形成される場合には、他の材質で形成されることができる。
【００２１】
スキャン電極１１とサステイン電極１２がそれぞれ形成された上部基板１０には、上部誘電体層１３と保護層１４が積層され、上部誘電体層１３には、プラズマが発生する荷電粒子が蓄積される。保護層１４は、ガス放電時に発生する荷電粒子のスパッタリングから上部誘電体層１３を保護し、２次電子の放出効率を高めるようになる。
【００２２】
また、アドレス電極２２は、スキャン電極１１及びサステイン電極１２と交差する方向に下部基板２０に形成され、アドレス電極２２が形成された下部基板２０上には、下部誘電体層２４と隔壁２１が形成される。
【００２３】
また、下部誘電体層２４と隔壁２１の表面には、蛍光体２３が塗布される。隔壁２１は、アドレス電極２２と並んだ方向に形成された縦隔壁２１ａと、アドレス電極２２と交差する方向に形成された横隔壁２１ｂとで構成され、放電セルを物理的に区分し、放電により生成された紫外線と可視光が隣接した放電セルに漏れるのを防止することができる。
【００２４】
本発明の一実施の形態には、図１に示す隔壁２１の構造だけでなく、多様な形状の隔壁２１構造も可能である。例えば、縦隔壁２１ａと横隔壁２１ｂとの高さが異なる差等型隔壁構造、縦隔壁２１ａ又は横隔壁２１ｂのうちの少なくとも１つ以上に排気通路として使用可能なチャネルの形成されたチャネル型隔壁構造、縦隔壁２１ａ又は横隔壁２１ｂのうちの１つ以上に溝が形成された溝型隔壁構造などが可能である。
【００２５】
ここで、差等型隔壁構造である場合には、横隔壁２１ｂの高さが高いことがさらに好ましく、チャネル型隔壁構造又は溝型隔壁構造である場合には、横隔壁２１ｂにチャネルが形成されるか、又は溝が形成されることが好ましい。
【００２６】
一方、本発明の一実施の形態では、Ｒ、Ｇ及びＢ放電セルそれぞれが同じ線上に配列するものと図示及び説明されているが、他の形状に配列することも可能である。例えば、Ｒ、Ｇ及びＢ放電セルが三角形状に配列されるデルタ（Ｄｅｌｔａ）タイプの配列も可能であり、放電セルの形状も、四角形状だけでなく、五角形、六角形などの多様な多角形状も可能である。
【００２７】
図２は、プラズマディスプレイパネルの電極配置に関する一実施の形態を示す図である。
【００２８】
図２に示すように、プラズマディスプレイパネルを構成する複数の放電セルは、マトリックス形態で配置されることが好ましい。複数の放電セルは、それぞれスキャン電極Ｙ１〜Ｙｍ、サステイン電極Ｚ１〜Ｚｍ及びアドレス電極Ｘ１〜Ｘｎの交差部に設けられる。スキャン電極Ｙ１〜Ｙｍは、順次駆動されるか、又は同時に駆動されることができ、サステイン電極Ｚ１〜Ｚｍは、同時に駆動され得る。アドレス電極Ｘ１〜Ｘｎは、奇数番目の電極と偶数番目の電極に分割されて駆動されるか、又は順次駆動され得る。
【００２９】
図２に示す電極配置は、本発明に係るプラズマディスプレイパネルの電極配置に関する一実施の形態であり、本発明は、図２に示すプラズマディスプレイパネルの電極配置及び駆動方式に限定されない。例えば、前記スキャン電極Ｙ１〜Ｙｍのうちの２個のスキャン電極が同時にスキャニングされるデュアルスキャン方式を適用することも可能であり、アドレス電極Ｘ１〜Ｘｎは、パネルの中央部分において上下に分割して駆動することもできる。
【００３０】
図３は、プラズマディスプレイ装置において、画像の１フレームを複数のサブフィールドに時分割駆動する方法に関する一実施の形態を示す図である。
【００３１】
図３に示すように、単位フレームは、画像の階調を表現するために、所定個数、例えば８個のサブフィールドＳＦ１，．．．，ＳＦ８に時分割駆動され得る。また、各サブフィールドＳＦ１，．．．，ＳＦ８は、リセット区間（図示せず）、アドレス区間Ａ１，．．．，Ａ８、及びサステイン区間Ｓ１，．．．，Ｓ８に分割される。
【００３２】
各アドレス区間Ａ１，．．．，Ａ８では、アドレス電極（Ｘ）にデータ信号が印加され、各スキャン電極（Ｙ）には、これに相応するスキャンパルスが順次印加される。各サステイン区間Ｓ１，．．．，Ｓ８では、スキャン電極（Ｙ）とサステイン電極（Ｚ）にサステインパルスが交互に印加されて、アドレス区間Ａ１，．．．，Ａ８から選択された放電セルでサステイン放電を起こす。
【００３３】
プラズマディスプレイパネルの輝度は、単位フレームにおいて占めるサステイン区間Ｓ１，．．．，Ｓ８内のサステインの放電回数に比例する。１画像を形成する１つのフレームが８個のサブフィールドと２５６階調で表現される場合、各サブフィールドには、順に１、２、４、８、１６、３２、６４、１２８の割合で互いに異なるサステインパルスの数が割り当てられることができる。又は、１３３階調の輝度を得るためには、サブフィールド１区間、サブフィールド３区間及びサブフィールド８区間の間にセルをアドレッシングしてサステイン放電すれば良い。
【００３４】
一方、各サブフィールドに割り当てられるサステインの放電回数は、サブフィールドの重み付け値に応じて可変に決定されることができる。すなわち、図３では、１フレームを８個のサブフィールドに分割する場合を例に挙げて説明したが、本発明はこれに限定されず、１フレームを形成するサブフィールドの数を設計仕様によって多様に変形することが可能である。例えば、１フレームを１２又は１６サブフィールドなどのように、８サブフィールド以上又は以下に分割して、プラズマディスプレイパネルを駆動させることができる。
【００３５】
図４〜図８は、本発明に係るフィルタに備えられる外光遮断シートの構造に関する実施の形態を示す断面図である。
【００３６】
図４〜図７に示すように、本発明の外光遮断シート１００は、ベース部１１０及びパターン部１２０を備える。
【００３７】
ベース部１１０は、光が円滑に透過されるように、透明なプラスチック材質、例えば紫外線（ＵＶ）硬化方式により形成された樹脂（Ｒｅｓｉｎ）系の物質からなることが好ましく、パネルの前面を保護する効果を高めるために、堅固なグラス材質が用いられることもできる。
【００３８】
図４に示すように、パターン部１２０は、ベース部１１０より暗い色の物質で形成され、好ましくは、黒い色の物質からなる。例えば、パターン部１２０は、カーボン系の物質で形成するか、又は黒い色の染料を塗布することにより、外光を吸収する効果を最大化することができる。
【００３９】
図４〜図７において、外光遮断シートの下段ａがパネル側Ｂであり、外光遮断シートの上段ｂが、外光が入射される観察者側Ａにパネルの前方に設置される。一般に、外部光源は、パネルの上側に位置するため、外光は、パターン部の上側から斜めにパネルに入射され得る。このような外光を吸収して遮断し、パネルから放出される可視光線を全反射してパネル光の反射率を高めるために、パターン部１２０の屈折率、少なくともパターン部１２０の一部分である外周面の屈折率は、ベース部１１０の屈折率より小さくすることが好ましい。パネルに入射される外光の吸収及び遮断と、パネル光の全反射を最大化するためには、パターン部の屈折率は、ベース部の屈折率の０．３００倍〜０．９９９倍とすることが好ましい。
【００４０】
また、外光遮断シート１００の厚さＴが２０μｍ〜２５０μｍのとき、製造工程が容易であり、適切な光透過率を有することができる。パネルから放出される光が円滑に透過するようにし、外部から入射される光が屈折してパターン部１２０に効果的に吸収及び遮断され、シートの堅固性を確保するために、外光遮断シートの厚さＴは、１００μｍ〜１８０μｍに形成するようにすることができる。
【００４１】
図４に示すように、ベース部１１０上に形成されるパターン部１２０は、三角形の形態を有することができ、さらに好ましくは、二等辺三角形の形態を有することができる。また、パターン部１２０の下段幅Ｐ１は、１８μｍ〜３５μｍに形成されることができ、そういう場合、パネルから発生する光が円滑にユーザ側Ａに放出され得る開口率が確保されると同時に、外光の遮断効率を最大化することができる。
【００４２】
パターン部１２０の高さｈは、８０μｍ〜１７０μｍに形成されて、下段幅Ｐ１との関係で外光の吸収及びパネル光の反射を効果的にすることができる傾斜面の勾配を形成することができ、パターン部１２０の短絡を防止することができる。ここで、パターン部１２０の高さｈは、図４に示すように、パターン部１２０の下段から上段までの最長距離と定義される。
【００４３】
パネル光がユーザ側Ａに放出されて適正輝度のディスプレイ映像を表示するための開口率を確保し、外光の遮断効果及びパネル光の反射効率を増加させるための最適のパターン部１２０の傾斜面、すなわち、パターン部の上、下側の傾斜面の勾配を確保するために、互いに隣接した二パターン部間の最短距離Ｐ３は、４０μｍ〜９０μｍであることができ、互いに隣接したパターン部の上段間の間隔Ｐ４は、６０μｍ〜１３０μｍであり得る。ここで、互いに隣接した二パターン部間の最短距離Ｐ３は、実質的に二パターン部それぞれの下段間の最短距離と同一であり、互いに隣接した二パターン部の上段間の間隔Ｐ４は、実質的に二パターン部それぞれの上段間の最短距離と同じである。
【００４４】
上記のような理由により、互いに隣接した二パターン部間の間隔、すなわち最短距離Ｐ３がパターン部１２０の下段幅Ｐ１の１．１倍〜５倍であるとき、ディスプレイのための開口率を確保すると同時に、外光の遮断効果及びパネル光の反射効率を増加させることができる。
【００４５】
パターン部１２０の高さｈが互いに隣接した二パターン部間の最短距離Ｐ３の０．８９倍〜４．２５倍の範囲を有する場合、パネルの上側から斜めに入射される外光がパネルに入射されないようにすることができ、パターン部１２０の短絡を防止し、パネル光の反射効率を最適化することができる。
【００４６】
また、互いに隣接した二パターン部の上段間の間隔Ｐ４が互いに隣接した二パターン部の下段間の間隔Ｐ３の１倍〜３．２５倍であるとき、適正輝度を有する映像のディスプレイのための開口率を確保することができ、パネル光がパターン部１２０の傾斜面から全反射されるようにすることができる。
【００４７】
図８に示すように、パターン部１２０は、上段ｂが所定の幅Ｐ２を有する台形の形態を有することができ、そういう場合、上段ｂの幅Ｐ２が下段の幅Ｐ１より小さく形成される。また、パターン部１２０の上段の幅Ｐ２は、９μｍ以下であることができ、それによって、下段幅Ｐ１との関係で外光の吸収及びパネル光の反射を効果的にすることができる傾斜面の勾配を形成することができる。
【００４８】
上記したように、パターン部１２０の上段ｂから下段ａに行くほど、その幅が広くなるようにして、開口率及び外光の遮断が最大になる傾斜面を有することができるようにする。
【００４９】
次の表１は、外光遮断シート１００のパターン部の下段幅Ｐ１と、パターン部高さの中間ｈ／２での幅に応じて、外光遮断シートの開口率及び外光の遮断効果を実験した結果である。表１のパターン部の下段幅は２３μｍの場合である。
【００５０】
【表１】
2008026860.tif 000003
【００５１】
表１を参照すれば、外光遮断シート１００のパターン部の下段幅Ｐ１が２３．０μｍである場合、パターン部中央（パターン部の中間高さ）ｈ／２での幅（中央幅）が２３μｍ以下に形成されると、パネルの内部から放出される光がユーザ側に通過されて、映像がディスプレイされる適切な５０％以上の開口率を確保することができるようになる。しかしながら、パターン部中央ｈ／２での幅が８μｍ以下に形成されると、外光が遮断される効率が減少されることができ、５μｍ以下に形成される場合には、外光がパネルに入射されるようになる。
【００５２】
したがって、外光遮断シートのパターン部の中央高さｈ／２での幅は、下段幅Ｐ２の１倍〜３．５倍又は１．５倍〜２．５倍であるとき、外光がパネルに入射されることを防止することができ、適切な開口率を確保することができる。
【００５３】
図９に示すように、外光遮断シート１００ｂのパターン部１２０は、外周面のうち、傾斜面がパネルの内部側に曲がった曲線の形状を有することができ、そういう場合、外部光がパターン部の傾斜面からパターン部の内部に屈折して遮断される効率を上げることができ、傾斜面だけでなく、パターン部の上段及び下段が所定の曲率を有する曲線の形状に形成されることができる。
【００５４】
また、パターン部の傾斜面が曲線の形態ではない互いに勾配の異なる２つの傾斜面を有する形態であり得る。
【００５５】
図７に示すように、パターン部１２０は、左、右傾斜面の形状が曲線である場合もある。また、パターン部１２０は、図７に示すように、パターン部の上段ｂも曲線の形状を有するようにすることができる。その場合、極めて小さな形状を有するパターン部が三角形の形態で製作し難いという点を改善することができる。
【００５６】
図８は、本発明に係る外光遮断シートの構造に関する実施の形態を示す断面図である。外光遮断シートの厚さとパターン部の高さを説明するために示したものである。
【００５７】
図８に示すように、パターン部を含む外光遮断シートの堅固性を確保すると共に、画像を表示するためにパネルから放出される可視光の透過率を確保するために、外光遮断シートの厚さＴは、１００μｍ〜１８０μｍであることが好ましい。
【００５８】
外光遮断シートに備えられるパターン部の高さｈが１８μｍ〜３５μｍであるとき、パターン部の製造が最も容易であり、外光遮断シートの適切な開口率を確保することができ、外光の遮断効果及びパネルから放出される光の反射効果を最大化することができる。
【００５９】
このようなパターン部の高さｈは、外光遮断シートの厚さＴに応じて可変され得る。一般に、パネルに入射されて明室コントラストの低下に影響を及ぼす外光は、主にパネルの位置より上側に位置するようになるため、パネルに入射される外光を効果的に遮断するために、パターン部の高さｈは、外光遮断シートの厚さＴに対し一定比率の範囲内の値を有することが好ましい。
【００６０】
図８に示すように、パターン部の高さｈが増加するほど、パターン部の上段部分のベース部の厚さが薄くなって絶縁破壊が発生することができ、パターン部の高さｈが減少するほど、一定範囲内の角度を有する外光がパネルに入射されて、外光が正しく遮断されなくなる。
【００６１】
次の表２は、外光遮断シートの厚さＴとパターン部の高さｈに応じて、外光遮断シートの絶縁破壊及び外光の遮断効果を実験した結果である。
【００６２】
【表２】
2008026860.tif 000004
【００６３】
表２を参照すれば、外光遮断シートの厚さＴが１２０μｍの場合、パターン部の高さｈが１２０μｍ以上に形成されると、パターン部が絶縁破壊される恐れがあって、製品の不良率が増加できる。パターン部の高さｈが１１５μｍ以下に形成されると、パターン部が絶縁破壊される恐れがないため、外光遮断シートの不良率を減少させることができる。しかしながら、パターン部の高さｈが７５μｍ以下に形成されるときには、パターン部により外部光が遮断される効率が減少でき、５０μｍ以下に形成されるときには、外光がパネルに入射され得る。
【００６４】
外光遮断シートの厚さＴがパターン部の高さｈの１．０１倍〜２．２５倍であるとき、パターン部の上段部分の絶縁破壊を防止することができ、外光がパネルに入射されることを防止することができる。また、さらに好ましくは、絶縁破壊及び外光のパネル入射を防止すると同時に、パネルから放出される光の反射率を増加させ、視野角を十分に確保するためには、外光遮断シートの厚さＴがパターン部高さｈの１．０１倍〜１．５倍であり得る。
【００６５】
図９は、本発明に係る外光遮断シートの前面を概略的に示す図である。
【００６６】
図９に示すように、本発明に係る外光遮断シート１００は、ベース部１１０上にパターン部１２０が所定の間隔で並列して形成されることが好ましいが、これに限定されず、図９に示すパターン部１２０と交差する方向に他のパターン部がさらに形成されることもでき、パネルの内部に形成されたブラックマトリックス及びブラック層、隔壁、バス電極などとパターン部の干渉により発生し得るモアレ（Ｍｏｉｒｅ）現象を防止するために、外光遮断シートの上段又は下段を基準に所定の角度分だけ傾くようにパターン部１２０を形成することもできる。
【００６７】
ここで、モアレ現象とは、似た格子形状のパターンが重なりながら発生する低周波のパターンを意味し、例えば蚊帳を重なっておいたときに見える波紋パターンを言う。
【００６８】
次の表３は、外光遮断シートのパターン部の下段幅Ｐ１とパネルの上部基板に形成されるバス電極幅の比率に応じて、モアレ現象の発行有無及び外光の遮断効果を実験した結果である。表３のバス電極の幅は９０μｍの場合である。
【００６９】
【表３】
2008026860.tif 000005
【００７０】
表３を参照すれば、パターン部の下段の幅がバス電極幅の０．２倍〜０．５倍であるとき、モアレ現象を減少させ、パネルに入射される外光を減少させることができる。また、モアレ現象を防止し外光を効果的に遮断すると同時に、パネル光の放出のための開口率を確保するためには、パターン部の下段の幅がバス電極幅の０．２５倍〜０．４倍であることが好ましい。
【００７１】
次の表４は、外光遮断シートのパターン部の下段幅とパネルの下部基板に形成される縦隔壁の幅の比率に応じて、モアレ現象の発生有無及び外光の遮断効果を実験した結果である。表４の縦隔壁の幅は５０μｍの場合である。
【００７２】
【表４】
2008026860.tif 000006
【００７３】
表４を参照すれば、パターン部の下段の幅が縦隔壁幅の０．３倍〜０．８倍であるとき、モアレ現象を減少させ、パネルに入射される外光を減少させることができる。また、モアレ現象を防止し、外光を効果的に遮断すると同時に、パネル光の放出のための開口率を確保するためには、パターン部の下段の幅が縦隔壁幅の０．４倍〜０．６５倍であることが好ましい。
【００７４】
図１０〜図１３は、本発明に係るフィルタの構造に関する実施の形態を示す断面図である。プラズマディスプレイパネルの前面に形成されるフィルタは、ＡＲ／ＮＩＲシート、ＥＭＩ遮蔽シート、外光遮断シート、光特性シートなどを含むことができる。
【００７５】
図１０〜図１３に示すように、ＡＲ／ＮＩＲシート２１０は、透明なプラスチック材質からなるベースシート２１３の前面に、外部から入射される光が反射されるのを防止してグレア現象を減少させる機能のあるＡＲ（Ａｎｔｉ−Ｒｅｆｌｅｃｔｉｏｎ）層２１１が取り付けられ、後面には、パネルから放射される近赤外線を遮蔽して、リモコンなどのように赤外線を利用して伝達される信号が正常に伝達され得るようにするＮＩＲ（Ｎｅａｒ  Ｉｎｆｒａｒｅｄ）遮蔽層２１２が取り付けられる。このときベースシート２１３は、使用条件や製造に耐えることができる透明性、絶縁性、耐熱性、機械的強度などを考慮して、様々な材料が適用可能である。例えば、ポリエステル系樹脂、ポリアミド系樹脂、ポリオレフィン系樹脂、ビニール系樹脂、アクリル系樹脂、セルロース系樹脂などが用いられることができ、通常、透明性が良く、可視光線の透過率が８０％以上確保されるポリエチレンテレフタルレート（ＰＥＴ）、ポリエチレンナフタレートなどのようなポリエステル系の物質で形成されることが好ましく、ベースシート２１３の厚さは、機械的強度の不十分によりシートが毀損されるのを防止し、必要以上の厚さにより多くの費用が消費されないように、５０μｍ〜５００μｍに形成することが好ましい。
【００７６】
ＡＲ層２１１には、一般的な反射防止膜が適用されることができ、ＮＩＲ遮蔽層２１２は、ＰＤＰが発する波長８００μｍ〜１１００μｍ帯域の近赤外線透過率が２０％以下、好ましくは、１０％以下であって、実用に提供され得る程度の近赤外線吸収剤を使用して形成される。近赤外線吸収剤の材料には、可視光線領域の光透過性の高い、例えば、ポリメチン、シアニン系化合物、ブタロシアニン系化合物、ナフタロシアニン系化合物、ナフトキノン系化合物、アントラキノン化合物、ジチオール系化合物、イモニウム系化合物、ジイモニウム系化合物などの近赤外線吸収色素を例に挙げることができる。
【００７７】
ＥＭＩ遮蔽シート２２０は、透明なプラスチック材質からなるベースシート２２２の前面にＥＭＩ（Ｅｌｅｃｔｒｏ  ｍａｇｎｅｔｉｃ  Ｉｎｔｅｒｆｅｒｅｎｃｅ）を遮蔽して、パネルから放射されるＥＭＩが外部に放出されるのを防止するＥＭＩ遮蔽層２２１が取り付けられる。このとき、通常、ＥＭＩ遮蔽層２２１は、導電性を有する物質を利用してメッシュ（Ｍｅｓｈ）構造のパターンを備え、ＥＭＩ遮蔽層の接地のために、パターンの外部、すなわち画像が表示されないＥＭＩ遮蔽シート２２０の非有効領域には、導電性物質が全体的に塗布される。ここで、ＥＭＩ遮蔽シートのパターンをなす金属層の材料には、例えば金、銀、鉄、ニッケル、クロム、アルミニウムなど、十分に電波を遮蔽することができる程度の導電性を有する金属が用いられることができ、単一物質で形成されることもでき、合金又は多層に形成されることができる。また、パターンの下面が黒化処理されて、パネルの内部に形成されたブラックマトリックスと同様に、パネルの明室コントラストを向上させることができる。パターンの外周面のうちの少なくとも１面は、黒化処理されて、ベース部より暗い色を有する。そういう場合、パネルに太陽光や電灯光などのような外部光が入射されたとき、黒化処理された部分から反射が抑制及び吸収されて、ＰＤＰの表示画像を高いコントラストに改善できるようになる。黒化処理方法には、メッキ法が好ましく、そういう場合、密着力に優れているため、パターンのすべての面が容易に黒化されることができ、メッキの材料には、銅、コバルト、ニッケル、亜鉛、錫、クロムの中から選択された少なくとも１つ又は２種類以上の化合物、例えば酸化銅、二酸化銅、酸化鉄などの酸化化合物などが用いられることができる。
【００７８】
ＥＭＩ遮蔽層のパターン幅は、１０μｍ〜３０μｍに形成されることが好ましく、そういう場合、電磁波を遮蔽するための充分な電気抵抗値を有することができ、適切な光透過率のための開口率が確保されることができる。
【００７９】
通常、外部光源は、室内や外部においてユーザの頭の上段に存在する場合が最も多い。このような外部光を効果的に遮断してＰＤＰのブラック映像をさらに暗く表現され得るようにする外光遮断シート２３０が取り付けられる。
【００８０】
このようなＡＲ／ＮＩＲシート２１０、ＥＭＩ遮蔽シート２２０、外光遮断シート２３０間には、粘着剤２４０が層をなしており、それぞれのシート及びフィルタがパネルの前方に堅固に設置されることができるようにする。また、それぞれのシートに含まれるベースシートの材質は、外光遮断シートの製作の容易性を考慮して、実質的に同じ材質を使用することが好ましい。
【００８１】
一方、図１０では、ＡＲ／ＮＩＲシート２１０、ＥＭＩ遮蔽シート２２０、外光遮断シート２３０の順に積層されたことを示しているが、図１１に示すように、ＡＲ／ＮＩＲシート２１０、外光遮断シート２３０、ＥＭＩ遮蔽シート２２０の順に積層され得るように、各シートの積層順序は、当業者によって異なって積層され得る。また、それぞれのシートのうちの少なくともいずれかの層が省略されることもできる。
【００８２】
図１２〜図１３を参照すれば、パネルの前方に設置されるフィルタ３００は、図１０及び図１１に示すようなＡＲ／ＮＩＲシート３１０、ＥＭＩ遮蔽シート３３０及び外光遮断シート３４０の他に、光特性シート３２０をさらに含むことができる。光特性シート３２０は、パネルから入射される光の色温度及び輝度特性を改善させ、透明なプラスチック材質からなるベースシート３２２の前面又は後面に所定の染料と粘着剤からなる光特性層３２１が積層される。
【００８３】
図１０〜図１３に示すそれぞれのシートに含まれているベースシートのうちの少なくとも１つのベースシートが省略されることもでき、ベースシートのうちの何れか１つは、プラスチック材質ではない堅固なガラスが用いられてパネルを保護する機能を向上させることができる。このとき、ガラスは、パネルから所定間隔で離隔されて形成されることが好ましい。
【００８４】
図１４は、本発明に係るプラズマディスプレイ装置の構造を示す図である。
【００８５】
図１４に示すように、本発明に係るプラズマディスプレイパネルの前面には、フィルタ１００が形成されることが好ましく、フィルタ１００には、外光遮断シート、ＡＲ（Ａｎｔｉ−Ｒｅｆｌｅｃｔｉｏｎ）シート、ＮＩＲ（Ｎｅａｒ  Ｉｎｆｒａｒｅｄ）遮蔽シート、ＥＭＩ（Ｅｌｅｃｔｒｏ  Ｍａｇｍｅｔｉｃ  Ｉｎｔｅｒｆｅｒｅｎｃｅ）遮蔽シート、光特性シートなどが含まれることができる。
【００８６】
フィルタ１００とパネルとの間に１０μｍ〜３０μｍの厚さを有する粘着剤が層をなして、パネルとフィルタ１００との付着を容易にし、かつ、接着性を高めることができる。また、外部圧力などから前記パネルを保護するために、フィルタ１００と前記パネルとの間に粘着層が３０μｍ〜１２０μｍの厚さに形成されることができる。
【００８７】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００８８】
【図１】プラズマディスプレイパネルの構造に関する一実施の形態を示す図である。
【図２】プラズマディスプレイパネルの電極配置に関する一実施の形態を示す図である。
【図３】プラズマディスプレイ装置において画像の１フレームが複数のサブフィールドに時分割駆動される方法に関する一実施の形態を示す図である。
【図４】本発明に係るフィルタに備えられる外光遮断シートの構造に関する実施の形態を示す断面図である。
【図５】本発明に係るフィルタに備えられる外光遮断シートの構造に関する実施の形態を示す断面図である。
【図６】本発明に係るフィルタに備えられる外光遮断シートの構造に関する実施の形態を示す断面図である。
【図７】本発明に係るフィルタに備えられる外光遮断シートの構造に関する実施の形態を示す断面図である。
【図８】本発明に係るフィルタに備えられる外光遮断シートの構造に関する実施の形態を示す断面図である。
【図９】本発明に係る外光遮断シートの前面を概略的に示す図である。
【図１０】本発明に係る外光遮断シートが適用されたフィルタの構造に関する実施の形態を示す断面図である。
【図１１】本発明に係る外光遮断シートが適用されたフィルタの構造に関する実施の形態を示す断面図である。
【図１２】本発明に係る外光遮断シートが適用されたフィルタの構造に関する実施の形態を示す断面図である。
【図１３】本発明に係る外光遮断シートが適用されたフィルタの構造に関する実施の形態を示す断面図である。
【図１４】本発明に係るプラズマディスプレイ装置の構造に関する一実施の形態を示す図である。
【図１】
2008026860.tif 000007
【図２】
2008026860.tif 000008
【図３】
2008026860.tif 000009
【図４】
2008026860.tif 000010
【図５】
2008026860.tif 000011
【図６】
2008026860.tif 000012
【図７】
2008026860.tif 000013
【図８】
2008026860.tif 000014
【図９】
2008026860.tif 000015
【図１０】
2008026860.tif 000016
【図１１】
2008026860.tif 000017
【図１２】
2008026860.tif 000018
【図１３】
2008026860.tif 000019
【図１４】
2008026860.tif 000020